(57)【特許請求の範囲】
【請求項１】
縦板部と、上記縦板部の奥側の位置に形成され、上方からの水を受け止めて流すように上面が開口する樋状部と、上記縦板部の手前側に位置するシール材受け部と、上記シール材受け部と上記縦板部とを接続する接続部と、を有することを特徴とする排水部材。
【請求項２】
請求項１に記載の排水部材において、上記シール材受け部が上記奥側に下り傾斜していることを特徴とする排水部材。
【請求項３】
請求項１または請求項２に記載の排水部材において、上記樋状部は樋部をなす第１水平板部と、当該第１水平板部の下方に位置する第２水平板部と、上記第１水平板部と第２水平板部とに接続された垂直板部とからなることを特徴とする排水部材。
【請求項４】
請求項１〜請求項３のいずれか１項に記載の排水部材において、上記縦板部の横側端に上記樋状部が形成されておらず、上記樋状部の端を越えて上記縦板部、上記シール材受け部および上記接続部が存在することを特徴とする排水部材。
【請求項５】
請求項１〜請求項４のいずれか１項に記載の排水部材が、外壁の開口に設けられる枠材の上部に設けられ、上記樋状部を伝った水が上記外壁の縦目地空間または通気層に流れ落ちることを特徴とする枠材上部の排水構造。
【請求項６】
請求項４に記載の排水部材が、外壁の開口に設けられる枠材の上部に設けられ、上記樋状部の端部が、上記外壁の縦目地空間に設けられたガスケットのシール片部から離間しており、上記樋状部を伝った水が上記縦目地空間に上記シール片部に妨げられることなく流れ落ちることを特徴とする枠材上部の排水構造。
【請求項７】
請求項５または請求項６に記載の枠材上部の排水構造において、上記シール材受け部の下側から浸入した水が上記樋状部を経ずに上記縦目地空間に流れ落ちることを特徴とする枠材上部の排水構造。
【発明の詳細な説明】
【技術分野】
【０００１】
排水部材およびサッシ枠などの枠材の上部の排水構造に関する。
【背景技術】
【０００２】
特許文献１には、建物の躯体の壁部に通気層を介して外壁材を取付けると共に建具を取付け、該建具と外壁材の隙間にパッキンを挿入した外壁であって、前記パッキンは建具との間をシールする複数枚の気密片部を有し、前記建具の上部と外壁材の隙間に挿入されるパッキンの気密片部に、前記通気層に浸入して建具の上部に流下した雨水等の水を外部に排水するための切欠部を設け、これら切欠部が内外方向に直列にならないように位置をずらして配置された構造が開示されている。
【０００３】
また、従来の排水構造例としては、図７に示すように、サッシ枠１０１が下地１０２にビス１０３によって留め付けられ、上記サッシ枠１０１の上面と外壁１０４の面材１０４ａの下面との間にシール材１０５を詰めた構造がある。
【先行技術文献】
【特許文献】
【０００４】
【特許文献１】特開２００４−７６４８５号公報
【発明の概要】
【発明が解決しようとする課題】
【０００５】
しかしながら、上記特許文献１に開示の技術では、通気層中に浸入した雨水が、上記パッキンの切欠部からサッシ枠上を流れて外部に出るため、サッシ枠上で上記切欠部から流れ出る雨水が見えてしまう。また、図７に示した構造では、開口１０６上から通気層への雨水の排水（矢印Ｗ１１参照）、上記面材１０４ａが中空面材である場合の中空部からの雨水の排水（矢印Ｗ１２参照）、サッシ枠１０１上の横目地から開口１０６横の縦目地への雨水の排水（矢印Ｗ１３参照）などにおいて、排水経路が確保されたものではなかった。
【０００６】
この発明は、上記の事情に鑑み、通気層等を流れる水の不所望な流れを防止でき、また枠材周りでの排水経路の確保が容易である排水部材および枠材上部の排水構造を提供することを課題とする。
【課題を解決するための手段】
【０００７】
この発明の排水部材は、縦板部と、上記縦板部の奥側の位置に形成された樋状部と、上記縦板部の手前側に位置するシール材受け部と、上記シール材受け部と上記縦板部とを接続する接続部と、を有することを特徴とする。
【０００８】
上記の構成であれば、外壁の開口に設けられる枠材の上部の通気層に当該排水部材を設けることで、上記枠材と上記外壁の間のシール材を上記シール材受け部で受けることができる。そして、上記通気層内において水は上記樋状部によって流されるので、水の不所望な流れを防止でき、また上記枠材周りでの排水経路の確保が容易になる。
【０００９】
上記シール材受け部が上記奥側に下り傾斜していてもよい。これによれば、シール材の装填で上記シール材受け部が押されるときに、上記接続部が浮く方向に力を受けることになり、上記接続部の下側に形成される空間が狭まるのを回避し、上記空間に至った水を上記縦板部の側に確実に導くことができる。
【００１０】
上記樋状部は樋部をなす第１水平板部と、当該第１水平板部の下方に位置する第２水平板部と、上記第１水平板部と第２水平板部とに接続された垂直板部とからなっていてもよい。これによれば、上記第１水平板部と第２水平板部と上記垂直板部と上記縦板部とで角筒部が形成されるので、排水部材の剛性を高めることができる。
【００１１】
上記縦板部の横側端に上記樋状部が形成されないこととしてもよい。これによれば、上記樋状部の端部が例えば縦目地内の部材（ガスケット等）から離間しやすくなり、当該部材で塞がれるのを回避することができる。
【００１２】
また、この発明の枠材上部の排水構造は、上記排水部材が、外壁の開口に設けられる枠材の上部に設けられ、上記樋状部を伝った水が上記外壁の縦目地空間または通気層に流れ落ちることを特徴とする。
【００１３】
上記の構成であれば、上記樋状部を伝った水が上記外壁の縦目地空間または通気層に流れ落ちるので、上記通気層等を流れる水が枠材の上面を伝って外部に流れ出ることを防止でき、また枠材周りでの排水経路の確保が容易になる。
【００１４】
また、この発明の枠材上部の排水構造は、上記縦板部の横側端に上記樋状部が形成されない上記排水部材が、外壁の開口に設けられる枠材の上部に設けられ、上記樋状部の端部が、上記外壁の縦目地空間に設けられたガスケットのシール片部から離間しており、上記樋状部を伝った水が上記縦目地空間に上記シール片部に妨げられることなく流れ落ちることを特徴とする。
【００１５】
上記の構成であれば、上記樋状部を伝った水が上記外壁のガスケットが設けられる縦目地空間または上記通気層に流れ落ちることが上記ガスケットのシール片部で妨げられるのを防止できる。
【００１６】
上記シール材受け部の下側から浸入した水が上記樋状部を経ずに上記縦目地空間に流れ落ちるようにしてもよい。これによれば、上記シール材受け部の下側から浸入した水の排水経路が確保される。
【発明の効果】
【００１７】
本発明であれば、通気層等を流れる水が枠材の上面を伝って外部に流れ出ることを防止でき、また、枠材周りでの排水経路の確保が容易になるという効果を奏する。
【図面の簡単な説明】
【００１８】
【図１】本発明の実施形態にかかる排水部材を示した立体図である。
【図２】図１の排水部材が設けられる外壁の開口および通気層を示した説明図である。
【図３】図１の排水部材を用いた排水構造の概略の縦断面図（一部ハッチングを省略している）である。
【図４】同図（Ａ）は同図（Ｂ）のａ−ａ矢視の概略断面図（一部ハッチングを省略している）であり、同図（Ｂ）は図１の排水部材を用いた排水構造の概略の横断面図（一部ハッチングを省略している）である。
【図５】同図（Ａ）および（Ｂ）は図３の排水構造による排水を模式的に示した概略の縦断面図（一部ハッチングを省略している）である。
【図６】図３の排水構造による排水を模式的に示した概略の横断面図（一部ハッチングを省略している）である。
【図７】従来の排水構造を示した概略の横断面図（一部ハッチングを省略している）である。
【発明を実施するための形態】
【００１９】
以下、この発明の実施の形態を添付図面に基づいて説明する。
図１に示すように、この実施形態の排水部材１は、横方向に長く形成された縦板部１１と、上記縦板部１１の奥側の位置に形成された樋状部１２と、上記縦板部１１の手前側に位置するシール材受け部１３と、上記シール材受け部１３と上記縦板部１１とを接続する接続部１４と、を有する。上記排水部材１は例えば押出成形によって形成される。
【００２０】
上記縦板部１１は、当該排水部材１が装着されるサッシ枠の幅と略同幅となる横方向長さを有する。また、上記縦板部１１は、上記サッシ枠の上部の裏面側に位置することができる。
【００２１】
上記シール材受け部１３は、下側１３ａが上側１３ｂよりも上記奥側に位置して下り傾斜している。上記シール材受け部１３と上記縦板部１１とを接続する接続部１４は、上記縦板部１１の上端から上記手前側に張り出している。また、上記接続部１４は屋外側の方が幾分上に位置するように少し傾斜している。
【００２２】
上記樋状部１２は、水が通る樋部をなす第１水平板部１２ａと、当該第１水平板部の下方に位置する第２水平板部１２ｂと、上記第１水平板部１２ａと第２水平板部１２ｂとに接続された垂直板部１２ｃとからなる。そして、上記第１水平板部１２ａと第２水平板部１２ｂと上記垂直板部１２ｃと上記縦板部１１とによって角筒部が形成される。また、第１水平板部１２ａは上記接続部１４よりも下側の位置に形成されており、上記垂直板部１２ｃの上端は上記シール材受け部１３よりも上方に位置している。
【００２３】
また、上記排水部材１においては、上記縦板部１１の横側端は上記樋状部１２が形成されない非形成部となっている。
【００２４】
上記排水部材１は、図２および図３に示すように、外壁２の開口２ａの縁に設けられるサッシ枠等の枠材３上の通気層２ｂ内に設けられ、上記シール材受け部１３を上記外壁２の下面と上記枠材３のビス留め部３ａの上面との間（横目地）に位置させている。上記通気層２ｂは、例えば通気胴縁によって形成され、また防水シート等によって防水が図られている。また、上記排水部材１は、上記ビス留め部３ａの裏面側に配置されており、上記ビス留め部３ａからねじ込まれるビス４によって、上記枠材３とともに上記外壁２のフレーム２ｃに固定される。上記ビス４は上記排水部材１の上記角筒部をなす箇所を水平に貫通するように設けられている。なお、上記ビス４が設けられる箇所の上記排水部材１と枠材３との間にシール材を介在させてもよい。
【００２５】
また、上記外壁２の下面と上記ビス留め部３ａの上面との間にシール材５が設けられる。このシール材５は上下面が平行である断面平行四辺形を有しており、上記シール材受け部１３に密着して受け止められている。
【００２６】
図４（Ｂ）は枠材上部の排水構造を示した概略の横断面図であり、この図４（Ｂ）中のａ−ａ矢視断面が上記図４（Ａ）で示される。また、図５（Ａ）は、図４（Ｂ）のｂ−ｂ矢視の概略断面であって排水を模式的に示しており、図５（Ｂ）は、図４（Ｂ）のｃ−ｃ矢視の概略断面であって排水を模式的に示している。
【００２７】
例えば、上記樋状部１２の一方の端において、Ｗ１の矢印経路で示されるように、上記通気層２ｂからの水は、上記樋状部１２上を流れ、当該樋状部１２の端（上記非形成部）に至り、この端から、縦方向に開放されている通気層や縦目地空間（図において二点鎖線丸Ａの箇所参照）を通って、建物の下側に落ちて屋外に排水される。なお、二点鎖線丸Ａの箇所は、縦目地空間に設けられるガスケット６のシール片部６ａと上記樋状部１２の端部との間に存在している。
【００２８】
また、例えば、Ｗ２の矢印経路で示されるように、外壁２に存在する中空部（中空外壁面材を採用している場合）からの水は、上記接続部１４の上面空間を通り、上記樋状部１２が形成されていない上記非形成部において、縦方向に開放されている縦目地空間（図中の二点鎖線丸Ａの箇所参照）を通って、建物の下側に落ちて屋外に排水される。
【００２９】
また、例えば、Ｗ３の矢印経路で示されるように、シール材５の下面から上記接続部１４の下方空間を通った水は、上記樋状部１２を経ずに、上記枠材３の上部を通り、縦目地空間における上記ガスケット６の本体部６ｂの横（図中の二点鎖線丸Ｂの箇所参照）を通って、建物の下側に落ちて屋外に排水される。
【００３０】
また、例えば、図６に示すように、上記樋状部１２の他方の端は、外壁２の裏面側の通気層２ｂに達しており、当該通気層２ｂに雨水の排水を行うことができる。
【００３１】
このように、外壁２の開口２ａに設けられる上記枠材３の上部に上記排水部材１を設けたことで、上記枠材３と上記外壁２の間のシール材５を上記シール材受け部１３で受けるとともに、上記通気層２ｂ内において水を上記樋状部１２によって流すことにより、水が上記枠材３の上面を伝って室内に流れ込むのを防止することができ、また上記枠材３周りでの排水経路の確保が容易になる。
【００３２】
上記シール材受け部１３が奥側に下り傾斜していると、シール材５の装填で上記シール材受け部１３が押されるときに、上記シール材受け部１３と上記縦板部１１とを接続する上記接続部１４が浮く方向に力を受けることになり、上記接続部１４の下側に形成される空間が狭まるのを回避することができ、また、上記接続部１４の上側の排水を上記樋状部１２の側に確実に導くことができる。
【００３３】
上記樋状部１２が上記第１水平板部１２ａと、当該第１水平板部１２ａの下方の第２水平板部１２ｂと、上記第１水平板部１２ａと第２水平板部１２ｂとに接続された垂直板部１２ｃとからなっていると、上記第１水平板部１２ａと第２水平板部１２ｂと上記垂直板部１２ｃと上記縦板部１１とで角筒部が形成されるので、排水部材１の剛性を高めることができる。
【００３４】
上記縦板部１１の横側端に上記樋状部１２が形成されない構成であれば、上記樋状部１２の端部が上記ガスケット６等の部材から離間しやすくなり、上記ガスケット６等で塞がれるのを回避することができる。
【００３５】
また、上記枠材上部の排水構造であれば、上記樋状部１２を伝った水が上記外壁２の縦目地空間または上記通気層２ｂに流れ落ちるので、上記通気層２ｂ等を流れる水が枠材３の上面を伝って室内に流れ込むことを防止でき、また枠材３周りでの排水経路の確保が容易である。
【００３６】
また、上記樋状部１２の横端が上記外壁２の縦目地空間に設けられた上記ガスケット６のシール片部６ａから離間して二点鎖線丸Ａの箇所を形成し、上記樋状部１２を伝った水が上記目地空間に上記シール片部６ａに妨げられることなく流れ落ちる構成であれば、上記樋状部１２を伝った水が上記外壁２の上記ガスケット６が設けられる縦目地空間または上記通気層２ｂに流れ落ちることが、上記ガスケット６のシール片部６ａで妨げられるのを防止できる。
【００３７】
上記シール材受け部１３の下側から浸入した水が、上記樋状部１２を経ずに上記ガスケット６の本体部６ｂの横（二点鎖線丸Ｂの箇所参照）に流れ落ちるようにすると、上記シール材受け部１３の下側から浸入した水の排水経路が確保される。
【００３８】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３９】
１      排水部材
１１    縦板部
１２    樋状部
１３    シール材受け部
１４    接続部
２      外壁
２ａ    開口
２ｂ    通気層
３      枠材
３ａ    ビス留め部
４      ビス
５      シール材
６      ガスケット
６ａ    シール片部
【図１】
0005918729.tif 000002
【図２】
0005918729.tif 000003
【図３】
0005918729.tif 000004
【図４】
0005918729.tif 000005
【図５】
0005918729.tif 000006
【図６】
0005918729.tif 000007
【図７】
0005918729.tif 000008